(57)【特許請求の範囲】
【請求項１】
送受信ユニットとアンテナとの間に接続され、所定の周波数帯において区分された複数の周波数から選択された送信周波数で送信信号を伝送し、前記複数の周波数から選択された受信周波数で受信信号を伝送するアンテナチューナであって、
前記送受信ユニットと前記アンテナとの整合を取る整合回路と、
区分された周波数毎に前記整合回路の回路定数を記憶する回路定数記憶部と、
前記送信信号の伝送時に、前記送信信号の進行波と反射波と検出して、その定在波比に基づいて回路定数を探索する回路定数探索部と、
前記送信周波数に対応する前記区分された周波数に対応させて、探索した回路定数を前記回路定数記憶部に更新記憶させる回路定数更新部と、
前記送信周波数とは異なる周波数からなる前記受信周波数の変更にかかる通知を受ける入出力部と、
変更された前記受信周波数に対応する前記区分された周波数に更新記憶されている回路定数を選択し、選択した回路定数を前記整合回路に設定する回路定数設定部と、
を備えた、アンテナチューナ。
【請求項２】
請求項１に記載のアンテナチューナであって、
前記送信信号の伝送時に、前記送信周波数を検出する送信周波数検出部を備える、
アンテナチューナ。
【請求項３】
請求項１または請求項２に記載のアンテナチューナであって、
前記回路定数探索部は、前記回路定数を変更しながら前記定在波比を算出することで、最適となる定在波比を実現する回路定数を探索する、
アンテナチューナ。
【請求項４】
請求項１乃至請求項３のいずれかに記載のアンテナチューナであって、
前記入出力部は、前記受信周波数の通知を、送信から受信に切り替わる際に受け付け、
前記回路定数設定部は、前記受信周波数の通知を受けて、前記回路定数を選択し、選択した回路定数を前記整合回路に設定する、
アンテナチューナ。
【請求項５】
請求項１乃至請求項４のいずれかに記載のアンテナチューナであって、
前記整合回路は、送信信号を伝送する送信用整合回路と、前記受信信号を伝送する受信用整合回路と、を備える、
アンテナチューナ。
【請求項６】
送信データに基づく送信信号の生成や、受信信号から受信データの取出を行う送受信ユニット、アンテナ、および、前記送受信ユニットと前記アンテナとの整合を行うアンテナチューナを備えた無線通信システムであって、
前記アンテナチューナは、
前記送受信ユニットと前記アンテナとの整合を取る整合回路と、
区分された周波数毎に前記整合回路の回路定数を記憶する回路定数記憶部と、
前記送信信号の伝送時に、前記送信信号の進行波と反射波と検出して、その定在波比に基づいて回路定数を探索する回路定数探索部と、
前記送信周波数に対応する前記区分された周波数に対応させて、探索した回路定数を前記回路定数記憶部に更新記憶させる回路定数更新部と、
前記送信周波数とは異なる周波数からなる前記受信周波数の変更にかかる通知を受ける入出力部と、
変更された前記受信周波数に対応する前記区分された周波数に更新記憶されている回路定数を選択し、選択した回路定数を前記整合回路に設定する回路定数設定部と、
を備える、
無線通信システム。
【請求項７】
送受信ユニットとアンテナとの間に接続され、所定の周波数帯において区分された複数の周波数から選択された送信周波数で送信信号を伝送し、前記複数の周波数から選択された受信周波数で受信信号を伝送するアンテナチューナの整合回路の回路定数設定方法であって、
区分された周波数毎に前記整合回路の回路定数を記憶する回路定数記憶工程と、
前記送信信号の伝送時に、前記送信信号の進行波と反射波と検出して、その定在波比に基づいて回路定数を探索する回路定数探索工程と、
前記送信周波数に対応する前記区分された周波数に対応させて、探索した回路定数を更新記憶する回路定数更新工程と、
前記送信周波数とは異なる周波数からなる前記受信周波数の変更にかかる通知を受ける工程と、
変更された前記受信周波数に対応する前記区分された周波数に更新記憶されている回路定数を選択し、選択した回路定数を前記整合回路に設定する回路定数設定工程と、
を有する、整合回路の回路定数設定方法。
【請求項８】
送受信ユニットとアンテナとの間に接続され、所定の周波数帯において区分された複数の周波数から選択された送信周波数で送信信号を伝送し、前記複数の周波数から選択された受信周波数で受信信号を伝送するアンテナチューナの整合回路の回路定数を制御部に設定させる回路定数設定プログラムであって、
前記制御部は、
区分された周波数毎に前記整合回路の回路定数を記憶する処理と、
前記送信信号の伝送時に、前記送信信号の進行波と反射波と検出して、その定在波比に基づいて回路定数を探索する処理と、
前記送信周波数に対応する前記区分された周波数に対応させて、探索した回路定数を更新記憶する処理と、
前記送信周波数とは異なる周波数からなる前記受信周波数の変更にかかる通知を受ける処理と、
変更された前記受信周波数に対応する前記区分された周波数に更新記憶されている回路定数を選択し、選択した回路定数を前記整合回路に設定する処理と、
を実行する、整合回路の回路定数設定プログラム。
【発明の詳細な説明】
【技術分野】
【０００１】
この発明は、送受信ユニットと、アンテナとの間に配置し、送受信ユニットと、アンテナとの整合をとる（定在波比を最適にする。）アンテナチューナ、無線通信システム、整合回路の回路定数設定方法、および整合回路の回路定数設定プログラムに関する。
【背景技術】
【０００２】
従来、送受信ユニットと、アンテナとの整合をとるために、アンテナチューナを送受信ユニットとアンテナとの間に配置している。アンテナチューナは、送受信ユニットと、アンテナとの整合をとる整合回路を備え、この整合回路を介して送受信ユニットと、アンテナとを接続する。この整合回路は、例えばインダクタと、コンデンサとを備えた回路である。また、整合回路は、インダクタ、またはコンデンサの少なくとも一方の定数が変更できる構成でもある。アンテナチューナは、送信周波数に応じて、この整合回路の回路定数（インダクタやコンデンサの定数）を調整し、定在波比を最適にする。
【０００３】
例えば、特許文献１に記載のアンテナチューナは、送信周波数の変更時に、整合回路の回路定数を変化させ、定在波比が最適になる整合回路の回路定数を探索する。そして、このアンテナチューナは、次回の送信周波数の変更時まで、整合回路の回路定数を今回探索した回路定数に固定する、構成である。
【０００４】
また、このアンテナチューナは、定在波比が最適になる整合回路の回路定数の探索に要する時間を短縮するために、周波数帯毎に、整合回路の回路定数の基準値を予め登録している。アンテナチューナは、送信周波数の変更時に、変更する送信周波数に対応する回路定数の基準値を初期値に設定し、定在波比が最適になる整合回路の回路定数の探索を行っている。
【先行技術文献】
【特許文献】
【０００５】
【特許文献１】特開平３−１０５２１号公報
【発明の概要】
【発明が解決しようとする課題】
【０００６】
しかしながら、従来のアンテナチューナは、上述したように、整合回路の回路定数を送信周波数で定在波比が最適になる値に設定する構成であった。このため、送信周波数と受信周波数との差が大きい、いわゆるクロスバンド通信では、受信時の定在波比が適正にならず、感度が悪くなったり、受信エラーの発生頻度が高くなったりという問題があった。
【０００７】
この発明の目的は、送信周波数と受信周波数との差が大きいクロスバンド通信においても、アンテナと送受信ユニットとの整合をとった送信、および受信が行えるアンテナチューナ、無線通信システム、整合回路の回路定数設定方法、および整合回路の回路定数設定プログラムを提供することを目的とする。
【課題を解決するための手段】
【０００８】
この発明のアンテナチューナは、上述の課題を解決し、その目的を達するために、以下のように構成している。
【０００９】
このアンテナチューナは、送受信ユニットとアンテナとの間に接続され、所定の周波数帯において区分された複数の周波数から選択された送信周波数で送信信号を伝送し、複数の周波数から選択された受信周波数で受信信号を伝送する。アンテナチューナは、整合回路、回路定数記憶部、回路定数探索部、回路定数更新部、入出力部、および回路定数設定部を備える。整合回路は、送受信ユニットとアンテナとの整合を取る。回路定数記憶部は、区分された周波数毎に前記整合回路の回路定数を記憶する。回路定数探索部は、送信信号の伝送時に、送信信号の進行波と反射波と検出して、その定在波比に基づいて回路定数を探索する。回路定数更新部は、送信周波数に対応する区分された周波数に対応させて、探索した回路定数を回路定数記憶部に更新記憶させる。入出力部は、送信周波数と異なる周波数からなる受信周波数の変更にかかる通知を受ける。回路定数設定部は、変更された受信周波数に対応する区分された周波数に更新記憶されている回路定数を選択し、選択した回路定数を整合回路に設定する。
【００１３】
このように、このアンテナチューナは、受信時には、整合回路の回路定数を、受信周波数に応じた回路定数に設定し、送信時には、整合回路の回路定数を、送信周波数に応じた回路定数に設定する。したがって、送信周波数と受信周波数との差が大きい、いわゆるクロスバンド通信においても、アンテナと送受信ユニットとの整合をとった送信、および受信が行える。
【発明の効果】
【００１４】
この発明によれば、送信周波数と受信周波数との差が大きいクロスバンド通信においても、アンテナと送受信ユニットとの整合をとった送信、および受信が行える。
【図面の簡単な説明】
【００１５】
【図１】この発明の実施形態である無線通信システムの構成を示す図である。
【図２】送受信ユニットの動作を示すフローチャートである。
【図３】アンテナチューナの動作を示すフローチャートであり
【図４】別の実施形態である無線通信システムの構成を示す図である。
【図５】別の実施形態である無線通信システムの構成を示す図である。
【発明を実施するための形態】
【００１６】
以下、この発明の実施形態について説明する。
【００１７】
図１は、この発明の実施形態である無線通信システムの構成を示す図である。この無線通信システムは、アンテナチューナ１と、送受信ユニット２と、アンテナ３と、を有している。この無線通信システムは、送信周波数と受信周波数との差が大きいクロスバンド通信においても、送信エラーや受信エラーの発生頻度を抑えるものである。
【００１８】
送受信ユニット２と、アンテナ３とは、アンテナチューナ１を介して接続している。言い換えれば、アンテナチューナ１は、送受信ユニット２と、アンテナ３との間に配置している。また、送受信ユニット２には、オペレータが操作する操作部５が接続されている。
【００１９】
アンテナチューナ１は、送受信ユニット２と、アンテナ３との整合をとる。送受信ユニット２は、送信データに基づく送信信号の生成や、受信信号から音声や受信データを取り出す等の処理を行う。
【００２０】
送受信ユニット２は、制御部２０と、送信部２３と、受信部２４と、送受信切替部２５と、入出力部２６と、を備えている。制御部２０は、送受信ユニット２本体各部の動作を制御する。また、送受信ユニット２に接続されている操作部５には、送信ボタン２１と、周波数設定部２２と、備えている。操作部５は、送受信状態の切り替え、通話、送信データの入力、受信データの出力等を行う。
【００２１】
送信ボタン２１は、送受信ユニット２の状態を送信状態と受信状態との間で切り替えるときに操作（押下）するボタンである。送受信ユニット２は、例えば、送信ボタン２１が操作されているときに送信状態になり、送信ボタン２１が操作されていないときに受信状態になる。
【００２２】
なお、送受信ユニット２は、送信ボタン２１が操作されるごとに、送信状態と受信状態とを切り替える構成であってもよい。
【００２３】
周波数設定部２２は、オペレータが送信周波数、および受信周波数を設定する操作を行う。また、操作部５は、マイクやスピーカ等も備えている。操作部５は、ここでは、送受信ユニット２本体に接続される構成としているが、送受信ユニット２本体に一体化した構成であってもよい。
【００２４】
送信部２３は、周波数設定部２２で設定された送信周波数の送信信号を生成する。受信部２４は、周波数設定部２２で設定された受信周波数の受信信号を抽出し、抽出した受信信号から受信データを取り出す。送受信切替部２５は、制御部２０からの指示にしたがって、送信部２３、または受信部２４の一方をアンテナチューナ１に接続する。具体的には、送受信切替部２５は、送信時には送信部２３をアンテナチューナ１に接続し、受信時には受信部２４をアンテナチューナ１に接続する切替を行う。
【００２５】
入出力部２６は、アンテナチューナ１との間における入出力インタフェース回路である。送受信ユニット２がアンテナチューナ１に入力する信号には、例えば周波数設定部２２が受信部２４に設定している受信周波数を通知する受信周波数信号、送受信切替部２５が送信部２３、または受信部２４のどちらをアンテナチューナ１に接続しているかを示す状態信号等がある。アンテナチューナ１は、この状態信号により、現時点が送信状態であるのか、受信状態であるのかを判断する。
【００２６】
また、アンテナチューナ１が送受信ユニット２に入力する信号は、後述する同調完了信号である。
【００２７】
アンテナチューナ１は、制御部１１と、整合回路１２と、記憶部１３と、送信周波数検出部１４と、入出力部１５と、を備えている。制御部１１は、アンテナチューナ１本体各部の動作を制御する。
【００２８】
整合回路１２は、インダクタと、コンデンサとを備えるとともに、このインダクタ、またはコンデンサの少なくとも一方について定数の変更が行える構成である。すなわち、整合回路１２は、回路定数の変更が行える構成である。整合回路１２には、特に図示していないが回路定数設定部と、定在波比検出部とを備えている。回路定数設定部は、インダクタ、またはコンデンサの少なくとも一方の定数を変更することにより、整合回路１２の回路定数を設定する。定在波比検出部は、整合回路１２の定在波比を検出する。制御部１１は、回路定数設定部を制御して整合回路１２の回路定数の設定を変更し、設定した回路定数毎に定在波比検出部が検出した整合回路１２の定在波比に基づいて、定在波比が最適になる整合回路１２の回路定数を探索する同調処理を行う。この同調処理の実行にかかる制御部１１の構成が、この発明で言う回路定数探索部に相当する。
【００２９】
記憶部１３は、回路定数記憶部１３ａと、設定周波数記憶部１３ｂとを有している。回路定数記憶部１３ａは、周波数帯別に、整合回路１２の回路定数（インダクタ、およびコンデンサに設定する定数）を記憶する。例えば、回路定数記憶部１３ａは、１ＭＨｚ〜３０ＭＨｚの周波数を１ＭＨｚ単位で区分した周波数帯Ｂｎ（ｎは、１〜２９）について、それぞれ、整合回路１２の回路定数Ｍ（Ｂｎ）（インダクタ、およびコンデンサに設定する定数）を記憶する。すなわち、回路定数記憶部１３ａは、１ＭＨｚ単位で区分した２９個の周波数帯Ｂｎに対して、それぞれ回路定数Ｍ（Ｂｎ）を対応づけて記憶する。
【００３０】
制御部１１は、上述した同調処理で回路定数を探索した周波数について、回路定数記憶部１３ａに記憶する対応するが周波数帯の整合回路１２の回路定数を、探索した回路定数に設定更新する。回路定数記憶部１３ａに記憶する整合回路１２の回路定数を、探索した回路定数に設定更新する処理の実行にかかる制御部１１の構成が、この発明で言う回路定数更新部に相当する。
【００３１】
なお、回路定数Ｍ（Ｂｎ）は、整合回路１２のインダクタ、またはコンデンサの一方が定数の変更が行えない構成であれば、定数の変更が行えるインダクタ、またはコンデンサの一方についての定数である。
【００３２】
また、設定周波数記憶部１３ｂは、現時点において設定されている受信周波数、および送信周波数を、それぞれ記憶する。制御部１１は、受信周波数、または送信周波数を変更するとき、設定周波数記憶部１３ｂに記憶している受信周波数、または送信周波数を、今回変更する値に更新する。特に、制御部１１が、設定周波数記憶部１３ｂに記憶している受信周波数を更新する構成が、この発明で言う設定周波数更新部に相当する。
【００３３】
送信周波数検出部１４は、送受信ユニット２の送信部２３から出力される送信信号（整合回路１２に入力される送信信号）から、送信周波数（搬送波の周波数）を検出する。
【００３４】
入出力部１５は、送受信ユニット２との間における入出力インタフェースである。上述したように、送受信ユニット２からは、受信周波数の通知や、状態信号等が入力される。アンテナチューナ１は、定在波比が最適になる整合回路１２の回路定数を探索する同調処理が完了すると、同調完了信号を送受信ユニット２に入力する。この同調処理の詳細については、後述する。
【００３５】
次に、送受信ユニット２、およびアンテナチューナ１の動作について説明する。図２は、送受信ユニットの動作を示すフローチャートであり、図３はアンテナチューナの動作を示すフローチャートである。
【００３６】
まず、図２を参照しながら送受信ユニット２の動作について説明する。制御部２０が、送受信ユニット２本体各部を制御し、この図２に示す動作を実行する。
【００３７】
送受信ユニット２は、通常、送受信切替部２５が受信部２４を整合回路１２（アンテナチューナ１）に接続している。送受信ユニット２は、操作部５に設けられた送信ボタン２１が押下されたときに、送受信切替部２５が一時的に送信部２３を整合回路１２に接続し、送信が完了すると、受信部２４を整合回路１２に接続する。送受信ユニット２は、入出力部２６において、この送受信切替部２５における接続の切替状態を状態信号としてアンテナチューナ１に入力する。
【００３８】
送受信ユニット２は、操作部５の周波数設定部２２において、設定する受信周波数の入力操作を受け付けると（ｓ１）、今回入力された受信周波数を受信部２４に設定する（ｓ２）。送受信ユニット２は、ｓ２にかかる受信周波数の設定が完了すると、今回受信部２４に設定した受信周波数をアンテナチューナ１に通知し（ｓ３）、ｓ１に戻る。送受信ユニット２は、入出力部２６において、受信部２４に今回設定した受信周波数をアンテナチューナ１に通知する。ｓ１〜ｓ３では、送受信切替部２５は、受信部２４をアンテナチューナ１に接続している状態を保持する。アンテナチューナ１は、送受信ユニット２のｓ１〜ｓ３にかかる処理により、その時点で設定されている受信周波数を得る。
【００３９】
また、送受信ユニット２は、操作部５の周波数設定部２２において、設定する送信周波数の入力操作を受け付けると（ｓ４）、送信ボタン２１が操作されたかどうかを判定する（ｓ５）。送受信ユニット２は、ｓ５で送信ボタン２１が操作されていないと判定すると、後述するｓ１８以降の処理を実行する。送受信ユニット２は、ｓ５で送信ボタン２１が操作されたと判定すると、周波数設定部２２が今回入力された送信周波数を送信部２３に設定する（ｓ６）。送受信ユニット２は、ｓ６にかかる送信周波数の設定が完了すると、送信周波数を変更したことをアンテナチューナ１に通知する（ｓ７）。このｓ７では、今回設定した送信周波数をアンテナチューナ１に通知しない（送信周波数を変更した旨を通知するだけである。）。
【００４０】
また、送受信ユニット２は、送受信切替部２５において、送信部２３をアンテナチューナ１に接続する切替を行う（ｓ８）。また、送信部２３から、同調用送信波の出力を開始する（ｓ９）。この同調用送信波は、今回設定した送信周波数の信号である。
【００４１】
アンテナチューナ１は、送受信ユニット２からの送信周波数を、変更通知をトリガにして、後述する、定在波比が最適になる整合回路１２の回路定数の探索にかかる処理（同調処理）を行い、この同調処理が完了すると、送受信ユニット２に同調処理の完了通知を行う。
【００４２】
送受信ユニット２は、入出力部２６において、アンテナチューナ１から同調処理の完了通知を受けると、ｓ８で開始した同調用送信波の出力を停止する（ｓ１０、ｓ１１）。送受信ユニット２は、送信部２３において今回送信する送信信号を生成し、この生成した送信信号を送信する送信処理を行う（ｓ１２）。送受信ユニット２は、ｓ１２にかかる送信処理が完了すると、送受信切替部２５において、受信部２４をアンテナチューナ１に接続する切替を行い（ｓ１３）、ｓ１に戻る。
【００４３】
このｓ６〜ｓ１１は、今回設定した送信周波数について、定在波比が最適になる整合回路１２の回路定数をアンテナチューナ１に探索させるための処理である。
【００４４】
送受信ユニット２は、ｓ４で設定する送信周波数の入力操作を受け付けることなく、操作部５に設けられた送信ボタン２１が操作されると、送受信切替部２５において、送信部２３をアンテナチューナ１に接続する切替を行う（ｓ１４、ｓ１５）。送受信ユニット２は、送信部２３において今回送信する送信信号を生成し、この生成した送信信号を送信する送信処理を行う（ｓ１５）。ｓ１５は、ｓ１２と同様の処理である。送受信ユニット２は、今回の送信処理が完了すると、送受信切替部２５において、受信部２４をアンテナチューナ１に接続する切替を行い（ｓ１７）、ｓ１に戻る。
【００４５】
また、送受信ユニット２は、受信部２４に受信信号が入力されると（ｓ１８）、受信データを取り出し、出力する受信処理を行い（ｓ１９）、ｓ１に戻る。
【００４６】
次に、図３を参照しながら、アンテナチューナ１の動作について説明する。制御部１１が、アンテナチューナ１本体各部を制御し、この図３に示す動作を実行する。
【００４７】
アンテナチューナ１は、送受信ユニット２から受信周波数の変更にかかる通知を受けると（ｓ２１）、設定周波数記憶部１３ｂに記憶している受信周波数を、今回通知された受信周波数に更新する（ｓ２２）。このｓ２２にかかる処理が、この発明で言う設定周波数更新部に相当する。アンテナチューナ１は、回路定数記憶部１３ａから、今回通知された受信周波数（この時点で、設定周波数記憶部１３ｂに記憶している受信周波数）に対応する周波数帯について記憶している整合回路１２の回路定数を読み出す（ｓ２３）。アンテナチューナ１は、整合回路１２の回路定数を、今回回路定数記憶部１３ａから読み出した回路定数に設定し（ｓ２４）、ｓ２１に戻る。
【００４８】
上述したように、送受信ユニット２は、受信周波数の設定変更が行われると、その旨を略リアルタイムにアンテナチューナ１に通知する。したがって、アンテナチューナ１は、整合回路１２の回路定数を、略リアルタイムに設定変更された受信周波数に応じたものに設定できる。
【００４９】
また、アンテナチューナ１は、送受信ユニット２から送信周波数変更の通知を受けると（ｓ２５）、送受信ユニット２から送信要求の通知があるかどうかを判定する（ｓ２６）。ｓ２６では、アンテナチューナ１は、整合回路１２への接続が受信部２４から送信部２３に切り替わったことを状態信号によって検出し、これを送信要求とみなす。
【００５０】
なお、送受信ユニット２が、送信ボタン２１が操作されたときに、アンテナチューナ１に対して送信要求を通知する構成としてもよい。
【００５１】
アンテナチューナ１は、ｓ２６で送信要求の通知がないと判定すると、ｓ２１に戻る。アンテナチューナ１は、ｓ２６で送信要求の通知があると判定すると、送信周波数検出部１４において、送受信ユニット２の送信部２３から入力されている同調用送信波の周波数を検出する（ｓ２７）。アンテナチューナ１は、設定周波数記憶部１３ｂに記憶している送信周波数を、ｓ２７で検出した周波数に更新する（ｓ２８）。また、アンテナチューナ１は、回路定数記憶部１３ａから、ｓ２７で検出した同調用送信波の周波数（この時点で、設定周波数記憶部１３ｂに記憶している送信周波数）に対応する周波数帯について記憶している整合回路１２の回路定数を読み出す（ｓ２９）。
【００５２】
なお、ｓ２７にかかる処理は、送受信ユニット２から入力されている状態信号により、整合回路１２への接続が受信部２４から送信部２３に切り替わったことを検出した後に開始する。
【００５３】
アンテナチューナ１は、今回回路定数記憶部１３ａから読み出した回路定数を初期値として設定し（ｓ３０）、定在波比が最適になる整合回路１２の回路定数を探索する同調処理を行う（ｓ３１）。ｓ３１は、整合回路１２の回路定数を変化させながら定在波比を検出し、この定在波比が最適になる回路定数を探索する処理である。アンテナチューナ１は、定在波比が最適になる整合回路１２の回路定数の探索が完了すると、該当する周波数帯（この時点で、設定周波数記憶部１３ｂに記憶している送信周波数）について回路定数記憶部１３ａに記憶している整合回路１２の回路定数を、今回の同調処理で探索した回路定数に更新する（ｓ３２）。アンテナチューナ１の制御部１１が、このｓ３２にかかる処理を実行する構成が、この発明で言う回路定数更新部に相当する。
【００５４】
アンテナチューナ１は、送受信ユニット２に対して、同調処理の完了を通知する（ｓ３３）。送受信ユニット２は、この通知に応じて、上述したｓ１１以降の処理を実行する。アンテナチューナ１は、送受信ユニット２との接続が送信部２３から、受信部２４に切り換えられたことを状態信号から検出すると（ｓ３４）、回路定数記憶部１３ａから、設定周波数記憶部１３ｂに記憶している受信周波数に対応する周波数帯について記憶している整合回路１２の回路定数を読み出す（ｓ３５）。アンテナチューナ１は、整合回路１２の回路定数を、今回回路定数記憶部１３ａから読み出した回路定数に設定し（ｓ３６）、ｓ２１に戻る。ｓ３５、およびｓ３６にかかる処理は、上述したｓ２３、およびｓ２４にかかる処理と、同じである。
【００５５】
なお、ｓ３５にかかる処理は、送受信ユニット２から入力されている状態信号により、整合回路１２への接続が送信部２３から受信部２４に切り替わったことを検出した後に、実行すればよい。
【００５６】
アンテナチューナ１は、上述のｓ３１、およびｓ３２にかかる処理を行うことで、回路定数記憶部１３ａが周波数帯別に記憶している整合回路１２の回路定数を適正に保つことができる。
【００５７】
また、アンテナチューナ１は、送信周波数の変更通知なく送受信ユニット２から送信要求の通知があると（ｓ３７）、この時点で、設定周波数記憶部１３ｂに記憶している送信周波数に対応する周波数帯について、回路定数記憶部１３ａが記憶している整合回路１２の回路定数を読み出す（ｓ３８）。アンテナチューナ１は、整合回路１２の回路定数を、今回回路定数記憶部１３ａから読み出した回路定数に設定する（ｓ３９）。アンテナチューナ１は、送受信ユニット２との接続が送信部２３から、受信部２４に切り換えられたことを状態信号から検出すると（ｓ４０）、回路定数記憶部１３ａから、この時点で、設定周波数記憶部１３ｂに記憶している受信周波数に対応する周波数帯について記憶している整合回路１２の回路定数を読み出す（ｓ４１）。アンテナチューナ１は、今回回路定数記憶部１３ａから読み出した回路定数に基づいて、整合回路１２の回路定数を設定し（ｓ４２）、ｓ２１に戻る。
【００５８】
このように、このアンテナチューナ１は、整合回路１２の回路定数を、受信時には受信周波数に応じたものに設定し、送信時には送信周波数に応じたものに設定する。これにより、送信時、受信時に関係なく、送受信ユニット２と、アンテナ３との整合をとることができる。したがって、送信周波数と受信周波数との差が大きいクロスバンド通信においても、送受信ユニット２とアンテナ３との整合をとった送信、および受信が行える。
【００５９】
また、アンテナチューナ１は、送信周波数が変更されたときに、その送信周波数について、定在波比が最適になる整合回路１２の回路定数を探索し、探索結果に基づいて、回路定数記憶部１３ａに記憶している該当する周波数帯にかかる整合回路１２の回路定数を更新する。したがって、回路定数記憶部１３ａが周波数帯別に記憶している整合回路１２の回路定数を、環境変化や、経時変化等に対して適正に保つことができる。
【００６０】
上述したｓ２７〜ｓ３３にかかる処理については、送信周波数の変更後における、最初の送信時に行えばよい。通常、送信周波数の変更は、送信時に行われるので、ｓ２６で、送信要求の通知が無いと判定される可能性は極めて低い。このため、図３に示した処理で特に問題はない。ｓ２６で、送信要求の通知が無いと判定した場合をも考慮するのであれば、送信周波数の変更通知後、一定時間経過しても送信要求の通知が無ければ、ｓ２７〜ｓ３３にかかる処理を実行する構成にすればよい。
【００６１】
さらに、操作部５に同調ボタンを設け、この同調ボタンが操作されたときに、送受信ユニット２がｓ６〜ｓ１１にかかる処理を実行し、アンテナチューナ１がｓ２７〜ｓ３３にかかる処理を実行する構成としてもよい。
【００６２】
また、上記の実施形態では、アンテナチューナ１が、送信周波数を検出する送信周波数検出部１４を備えるとしたが、送受信ユニット２が、受信周波数と同様に、送信周波数についても、アンテナチューナ１に通知する構成としてもよい。この通知は、入出力部１５、２６間で行えばよい。
【００６３】
この場合には、図４に示すように、アンテナチューナ１の送信周波数検出部１４を不要にでき、コストダウンが図れる。また、上述したｓ２７にかかる処理を不要にし、ｓ２８では送受信ユニット２から通知された送信周波数を設定周波数記憶部１３ｂに記憶すればよい。
【００６４】
さらに、図５に示すように、アンテナチューナ１は、整合回路１２として、送信用整合回路１２ａ、受信用整合回路１２ｂを備える構成としてもよい。この場合には、送信用整合回路１２ａは送信周波数に応じた回路定数に設定し、受信用整合回路１２ｂは受信周波数に応じた回路定数に設定する。
【００６５】
また、送信部２３と、送信用整合回路１２ａとを接続し、受信部２４と、受信用整合回路１２ｂとを接続する。したがって、送受信ユニット２は、送受信切替部２５が不要になる。一方、アンテナチューナ１は、アンテナ３を、送信用整合回路１２ａ、または受信用整合回路１２ｂのどちらに接続するかを切り替えるスイッチ回路１８を追加する必要がある。アンテナチューナ１は、送受信ユニット２から入力されている状態信号に基づいて、スイッチ回路１８を切り替える。
【００６６】
これにより、アンテナチューナ１は、送信、受信の切り替え時に必要であった、整合回路１２に対する回路定数の設定変更にかかる処理を不要にできる。したがって、アンテナチューナ１本体の処理負荷を低減することができる。
【符号の説明】
【００６７】
１…アンテナチューナ
２…送受信ユニット
３…アンテナ
１１…制御部
１２…整合回路
１３…記憶部
１３ａ…回路定数記憶部
１３ｂ…設定周波数記憶部
１４…送信周波数検出部
１５…入出力部
１８…スイッチ回路
【図１】
0005674504.tif 000002
【図２】
0005674504.tif 000003
【図３】
0005674504.tif 000004
【図４】
0005674504.tif 000005
【図５】
0005674504.tif 000006